(57)【特許請求の範囲】
【請求項１】
同一の構成を有する他の充電器の充電器本体と連結可能な充電器本体を備える可搬型ガス検知器の充電器であって、
前記充電器本体の側部に設けられ、前記充電器本体を前記他の充電器の充電器本体と連結するための係合部と、
前記充電器本体のうち前記係合部が設けられた前記側部に配置された弾性変形可能な接続端子とを備え、
前記充電器本体の前記係合部と前記他の充電器の充電器本体の係合部とを互いに係合させた状態で前記充電器本体を前記他の充電器の充電器本体に対して相対的に上下方向にスライドさせることにより、前記充電器本体の接続端子を弾性変形させた状態で前記他の充電器の充電器本体の接続端子に対して横方向に当接させるとともに、前記他の充電器に対して横方向に隣接した状態で連結されるように構成されており、
前記充電器本体の前記側部には、前記他の充電器の充電器本体に対して相対的に上下方向にスライドする際に前記他の充電器の充電器本体の接続端子が通過する位置に逃がし溝部が設けられている、可搬型ガス検知器の充電器。
【請求項２】
同一の構成を有する他の充電器の充電器本体と連結可能な充電器本体を備える可搬型ガス検知器の充電器であって、
前記充電器本体の側部に設けられ、前記充電器本体を前記他の充電器の充電器本体と連結するための係合部と、
前記充電器本体のうち前記係合部が設けられた前記側部に配置された弾性変形可能な接続端子とを備え、
前記充電器本体の前記係合部と前記他の充電器の充電器本体の係合部とを互いに係合させた状態で前記充電器本体を前記他の充電器の充電器本体に対して相対的に上下方向にスライドさせることにより、前記充電器本体の接続端子を弾性変形させた状態で前記他の充電器の充電器本体の接続端子に対して横方向に当接させるとともに、前記他の充電器に対して横方向に隣接した状態で連結されるように構成されており、
前記充電器本体の前記側部には、前記接続端子を覆うためのカバーが着脱可能に設けられており、
前記カバーは、前記カバーが前記充電器本体に取り付けられた状態において、前記充電器本体の前記側部の前記接続端子に接触して、前記接続端子を押圧する凸部を含む、可搬型ガス検知器の充電器。
【請求項３】
前記充電器本体には、前記他の充電器の充電器本体と連結される際における前記充電器本体のスライド方向への移動を規制することにより、前記充電器本体の接続端子と前記他の充電器の充電器本体の接続端子との位置決めを行うための位置決め部が設けられている、請求項１または２に記載の可搬型ガス検知器の充電器。
【請求項４】
前記側部は、一方側部と、前記一方側部と反対側の他方側部とを含み、
前記係合部は、前記一方側部に上下方向に延びるように形成された第１係合部と、前記他方側部に上下方向に延びるように形成されるとともに、前記他の充電器の充電器本体の第１係合部と係合可能に構成された第２係合部とを含み、
前記接続端子は、前記一方側部に上下方向に延びるように設けられた第１板状端子と、前記他方側部に上下方向に延びるように設けられた第２板状端子とを含み、
前記第１板状端子を弾性変形させた状態で前記他の充電器の充電器本体の第２板状端子に対して横方向に当接させるとともに、前記他の充電器に対して横方向に隣接した状態で連結されるように構成されている、請求項１〜３のいずれか１項に記載の可搬型ガス検知器の充電器。
【発明の詳細な説明】
【技術分野】
【０００１】
この発明は、可搬型ガス検知器の充電器に関し、特に、他の充電器と連結可能な可搬型ガス検知器の充電器に関する。
【背景技術】
【０００２】
従来、他の充電器と連結可能な可搬型ガス検知器の充電器が知られている（たとえば、特許文献１参照）。
【０００３】
上記特許文献１には、充電器本体を他の充電器の充電器本体と連結するための係合部が充電器本体の側部に設けられた可搬型ガス検知器の充電器（充電器）が開示されている。充電器本体同士を連結する際には、充電器本体の係合部と他の充電器の充電器本体の係合部とを互いに係合させた状態で、充電器本体が、他の充電器の充電器本体に対して相対的に前後方向にスライドされる。その後、充電器と他の充電器とが専用の連結部材（アタッチメント部材）により連結されることにより、各々の回路基板が電気的に接続される。
【先行技術文献】
【特許文献】
【０００４】
【特許文献１】特許５３９４６４３号公報
【発明の概要】
【発明が解決しようとする課題】
【０００５】
しかしながら、上記特許文献１に記載の可搬型ガス検知器の充電器では、充電器本体の係合部と他の充電器の充電器本体の係合部とを係合した後、専用の連結部材により、充電器と他の充電器とを連結して、充電器と他の充電器とを電気的に連結する必要がある。このため、可搬型ガス検知器の充電器の連結作業が複雑になるとともに連結時の構造も複雑になるという問題点がある。
【０００６】
この発明は、上記のような課題を解決するためになされたものであり、この発明の１つの目的は、可搬型ガス検知器の充電器の連結作業および連結時の構造を簡素化することが可能な可搬型ガス検知器の充電器を提供することである。
【課題を解決するための手段】
【０００７】
この発明の第１の局面による可搬型ガス検知器の充電器は、同一の構成を有する他の充電器の充電器本体と連結可能な充電器本体を備える可搬型ガス検知器の充電器であって、充電器本体の側部に設けられ、充電器本体を他の充電器の充電器本体と連結するための係合部と、充電器本体のうち係合部が設けられた側部に配置された弾性変形可能な接続端子とを備え、充電器本体の係合部と他の充電器の充電器本体の係合部とを互いに係合させた状態で充電器本体を他の充電器の充電器本体に対して相対的に上下方向にスライドさせることにより、充電器本体の接続端子を弾性変形させた状態で他の充電器の充電器本体の接続端子に対して横方向に当接させるとともに、他の充電器に対して横方向に隣接した状態で連結されるように構成されており、充電器本体の側部には、他の充電器の充電器本体に対して相対的に上下方向にスライドする際に他の充電器の充電器本体の接続端子が通過する位置に逃がし溝部が設けられている。
また、この発明の第２の局面による可搬型ガス検知器の充電器は、同一の構成を有する他の充電器の充電器本体と連結可能な充電器本体を備える可搬型ガス検知器の充電器であって、充電器本体の側部に設けられ、充電器本体を他の充電器の充電器本体と連結するための係合部と、充電器本体のうち係合部が設けられた側部に配置された弾性変形可能な接続端子とを備え、充電器本体の係合部と他の充電器の充電器本体の係合部とを互いに係合させた状態で充電器本体を他の充電器の充電器本体に対して相対的に上下方向にスライドさせることにより、充電器本体の接続端子を弾性変形させた状態で他の充電器の充電器本体の接続端子に対して横方向に当接させるとともに、他の充電器に対して横方向に隣接した状態で連結されるように構成されており、充電器本体の側部には、接続端子を覆うためのカバーが着脱可能に設けられており、カバーは、カバーが充電器本体に取り付けられた状態において、充電器本体の側部の接続端子に接触して、接続端子を押圧する凸部を含む。
【０００８】
この発明の第１および第２の局面による可搬型ガス検知器の充電器では、上記のように構成することによって、専用の連結部材を介さなくても、可搬型ガス検知器の充電器と他の充電器とを直接連結して、充電器と他の充電器とを電気的に接続することができる。これにより、可搬型ガス検知器の充電器の連結作業を簡素化することができる。また、上記のように構成することによって、可搬型ガス検知器の充電器と他の充電器とを連結するのに連結部材を設ける必要がない。これにより、可搬型ガス検知器の充電器本体同士の連結時の構造を簡素化することができる。
【０００９】
上記の第１および第２の局面による可搬型ガス検知器の充電器において、好ましくは、充電器本体には、他の充電器の充電器本体と連結される際における充電器本体のスライド方向への移動を規制することにより、充電器本体の接続端子と他の充電器の充電器本体の接続端子との位置決めを行うための位置決め部が設けられている。このように構成すれば、充電器本体同士を連結した際に、充電器本体の接続端子と他の充電器の充電器本体の接続端子との位置を精度よく合わせることができる。これにより、連結状態において、接続端子同士が接触不良になるのを抑制することができる。
【００１１】
上記第１および第２の局面による可搬型ガス検知器の充電器において、好ましくは、側部は、一方側部と、一方側部と反対側の他方側部とを含み、係合部は、一方側部に上下方向に延びるように形成された第１係合部と、他方側部に上下方向に延びるように形成されるとともに、他の充電器の充電器本体の第１係合部と係合可能に構成された第２係合部とを含み、接続端子は、一方側部に上下方向に延びるように設けられた第１板状端子と、他方側部に上下方向に延びるように設けられた第２板状端子とを含み、第１板状端子を弾性変形させた状態で他の充電器の充電器本体の第２板状端子に対して横方向に当接させるとともに、他の充電器に対して横方向に隣接した状態で連結されるように構成されている。このように構成すれば、上下方向に延びる第１板状端子および第２板状端子により、充電器本体の第１板状端子と、他の充電器の充電器本体の第２板状端子との上下方向における位置ずれを吸収することができる。これにより、連結状態において、接続端子同士が接触不良になるのを効果的に抑制することができる。また、第１板状端子を弾性変形した状態で第２板状端子に当接させることにより、連結状態において、第１板状端子と第２板状端子との電気的接続を確実に行うことができる。
【発明の効果】
【００１２】
本発明によれば、上記のように、可搬型ガス検知器の充電器の連結作業および連結時の構造を簡素化することができる。
【図面の簡単な説明】
【００１３】
【図１】本発明の一実施形態による可搬型ガス検知器の充電器を示した斜視図である。
【図２】本発明の一実施形態による可搬型ガス検知器の充電器に他の充電器を連結する状態を示した斜視図である。
【図３】本発明の一実施形態による可搬型ガス検知器の充電器をＸ２側から見た図である。
【図４】本発明の一実施形態による可搬型ガス検知器の充電器をＺ１側から見た図である。
【図５】本発明の一実施形態による可搬型ガス検知器の充電器の第１板状端子と他の充電器の第２板状端子との当接状態を示した水平断面図である。
【図６】本発明の一実施形態による可搬型ガス検知器の充電器が５台連結された状態を示した図である。
【図７】本発明の一実施形態による可搬型ガス検知器の充電器の一方側部のカバーの内側表面を示した図である。
【図８】本発明の一実施形態による可搬型ガス検知器の充電器の他方側部のカバーの内側表面を示した図である。
【図９】本発明の一実施形態による可搬型ガス検知器の充電器の一方側部のカバーおよび他方側部のカバーを係合させた状態を示した図である。
【図１０】本発明の一実施形態による可搬型ガス検知器の充電器の一方側部のカバーの変形例を示した図である。
【図１１】本発明の一実施形態による可搬型ガス検知器の充電器の他方側部のカバーの変形例を示した図である。
【発明を実施するための形態】
【００１４】
以下、本発明を具体化した実施形態を図面に基づいて説明する。
【００１５】
まず、図１〜図９を参照して、本発明の一実施形態による可搬型ガス検知器の充電器１の全体構成について説明する。
【００１６】
図１に示す本発明の一実施形態による可搬型ガス検知器の充電器（以下、充電器という）１は、可搬型ガス検知器（以下、検知器という）５００をセットして充電するための充電器である。充電器１には、１台の検知器５００が設置され、検知器５００の充電が行われる。また、図２に示すように、充電器１は、同一の構成を有する他の充電器１ａおよび１ｂの他の充電器本体２ａおよび２ｂと連結可能な充電器本体２を備えている。充電器１は、Ｘ１側に他の充電器１ａを連結し、Ｘ２側に他の充電器１ｂを連結するように構成されている。
【００１７】
図１に示すように、充電器本体２は、平面視において、略長方形に形成されている。検知器５００は、平面視において横長形状に形成されており、長手方向が充電器本体２の長手方向（Ｙ方向）に沿う向きで充電器１にセットされる。すなわち、充電を行うセット状態では、検知器５００の長手方向と充電器本体２の長手方向とが揃っている。また、充電器本体２は、検知器５００の底面（側面よりも面積が大きい面）が下方を向いた横置き状態で検知器５００をセットするように構成されている。検知器５００は、Ｙ１側からＹ２方向に差し込まれて充電器１にセットされる。また、充電器本体２のＸ１側端部には、カバー４が着脱可能に設けられている。充電器本体２のＸ２側端部には、カバー５が着脱可能に設けられている。なお、カバー４および５は、ワイヤーにより充電器本体２に繋がれていてもよい。また、充電器本体２と、カバー４および５とは、樹脂により形成されている。樹脂としては、たとえば、難燃グレードのＡＢＳ樹脂（Ａｃｒｙｌｏｎｉｔｒｉｌｅ  Ｂｕｔａｄｉｅｎｅ  Ｓｔｙｒｅｎｅ樹脂）を用いることができる。なお、本明細書では、充電器本体２の長手方向をＹ方向という。
【００１８】
充電器本体２は、底部２０と、一方側部２１と、他方側部２２と、Ｙ２側の短手側側部２３と、規制部２４と、充電器検出部２５と、充電端子２６とを備えている。充電器本体２は、第１係合部２７と、位置決め部２８と、第１板状端子２９とを備えている。充電器本体２は、図３に示すように、第２係合部３０と、第２板状端子３１と、逃がし溝部３２と、ＬＥＤ３３（図１参照）と、Ｙ１側の短手側側部３４とを備えている。なお、一方側部２１および他方側部２２は、共に、本発明の「側部」の一例である。また、第１係合部２７および第２係合部３０は、共に、本発明の「係合部」の一例である。また、第１板状端子２９および第２板状端子３１は、共に、本発明の「接続端子」の一例である。
【００１９】
図１に示すように、充電器本体２は、全体として、Ｙ２側よりもＹ１側が低くなるように構成されている。具体的には、充電器本体２は、Ｙ１側の短手側側部３４の上端部が、Ｙ２側の短手側側部２３の上端部よりも低くなるように構成されている。また、Ｙ１側の短手側側部３４とＹ２側の短手側側部２３との間の領域には、検知器５００をセットするためのセット部Ｓが形成されている。セット部Ｓは、平面視における充電器本体２の中央部を含む領域に形成された窪み部である。セット部Ｓは、Ｙ１側の短手側側部３４の上端部と同様、Ｙ２側の短手側側部２３の上端部よりも低い。これにより、検知器５００を、セット部ＳにＹ１側からＹ２方向に差し込んで容易にセットすることが可能である。また、検知器５００がセットされた状態の充電器１の高さを抑えることが可能である。
【００２０】
図１に示すように、底部２０は、充電器本体２のＺ２側の面である。底部２０は、充電器１が設置された際に設置面に接触する平坦面である。底部２０は、充電器本体２の外表面のうち最大面積を有する。
【００２１】
一方側部２１は、充電器本体２のＸ１側端部に設けられている。一方側部２１は、底部２０に対して垂直方向（Ｚ方向）に延びる面である。
【００２２】
他方側部２２は、図３に示すように、充電器本体２のＸ２側端部に設けられている。他方側部２２は、一方側部２１とは反対側に設けられている。他方側部２２は、一方側部２１と略平行に形成されている。他方側部２２は、底部２０に対して垂直方向（Ｚ方向）に延びる面である。
【００２３】
短手側側部２３は、充電器本体２のＹ２側端部に設けられている。短手側側部２３は、底部２０に対して垂直方向（Ｚ方向）に延びる平坦面である。短手側側部２３には、充電器１に電力を供給するためのＡＣアダプタ１００（図１参照）が取り付け可能な外部電源接続端子２３１が設けられている。なお、外部電源接続端子２３１には、単体使用時に用いられるＡＣアダプタ１００に代えて複数台連結時に用いられるＡＣアダプタ１１０（図６参照）を取り付けることが可能である。
【００２４】
規制部２４は、図１に示すように、上方に向けて突出する３つの凸部を含んでいる。規制部２４は、充電器１にセットされた検知器５００の複数の側面と当接して、検知器５００がＸ方向およびＹ方向へ移動するのを規制している。
【００２５】
充電器検出部２５は、検知器５００が充電器１にセットされたことを検出するように構成されている。
【００２６】
充電端子２６は、充電器検出部２５により検知器５００が充電器１にセットされたことが検出されると、検知器５００に電力を供給するように構成されている。
【００２７】
第１係合部２７は、上下方向（Ｚ方向）に延びるように一方側部２１に形成されている。具体的には、第１係合部２７は、Ｙ方向に所定間隔を隔てて一対設けられている。一対の第１係合部２７は、互いに平行に形成されている。図４に示すように、第１係合部２７は、一方側部２１に近いほどＹ方向の幅が狭くなるような水平断面形状を有している。第１係合部２７の内側面２７ａは、Ｘ方向に対して傾斜するように構成されている。一対の第１係合部２７により挟まれた空間は、水平断面において、一方側部２１側（Ｘ２側）に下底（上底に対して長い辺）を有する略等脚台形状の凹形状に形成されている。第１係合部２７は、図５に示すように、他の充電器本体２ａの第２係合部３０と係合可能に構成されている。充電器本体２は、第１係合部２７と他の充電器本体２ａの第２係合部３０とをＸ方向およびＹ方向において互いに係合させた状態で、他の充電器本体２ａに対して相対的に上下方向（Ｚ方向）にスライド可能に構成されている。
【００２８】
図１に示すように、位置決め部２８は、充電器本体２の一方側部２１に設けられている。位置決め部２８は、Ｙ方向に延びるようにリブ状に形成されている。位置決め部２８は、一対の第１係合部２７の上端部同士を接続している。位置決め部２８は、他の充電器本体２ａと連結される際における充電器本体２のスライド方向（Ｚ２方向）への移動を規制するように構成されている。位置決め部２８により、充電器本体２の第１板状端子２９と他の充電器本体２ａの第２板状端子３１（図３参照）との位置決めを行うことが可能である。
【００２９】
第１板状端子２９は、充電器本体２のうち第１係合部２７が設けられた一方側部２１において外部に露出するように配置されている。第１板状端子２９は、板バネ状に形成されており、弾性変形可能に構成されている。第１板状端子２９は、一方側部２１に上下方向（Ｚ方向）に延びるように設けられている。第１板状端子２９は、Ｙ方向に所定の間隔を隔てて一対設けられている。一対の第１板状端子２９は、Ｚ方向において、略同じ高さ位置に配置されている。一対の第１板状端子２９は、Ｚ方向に略同じ長さを有している。また、第１板状端子２９は、第１係合部２７および位置決め部２８に囲まれた領域に配置されている。
【００３０】
図３に示すように、第２係合部３０は、上下方向（Ｚ方向）に延びるように他方側部２２に形成されている。具体的には、第２係合部３０は、Ｙ方向に所定間隔を隔てて一対設けられている。図４に示すように、第２係合部３０は、端部３０ａと外側面３０ｂとを含んでいる。第２係合部３０は、他方側部２２に近いほどＹ方向の幅が狭くなるような水平断面形状を有している。第２係合部３０のＹ方向の外側面３０ｂは、Ｘ方向に対して傾斜するように構成されている。第２係合部３０を含む部分は、水平断面において、他方側部２２側（Ｘ１側）に上底（下底に対して短い辺）を有する略等脚台形状の凸形状に形成されている。第２係合部３０は、図５に示すように、他の充電器本体２ｂの第１係合部２７が係合可能に構成されている。充電器本体２は、第２係合部３０と他の充電器本体２ｂの第１係合部２７とをＸ方向およびＹ方向において互いに係合させた状態で、他の充電器本体２ｂに対して相対的に上下方向（Ｚ方向）にスライド可能に構成されている。
【００３１】
図３に示すように、第２板状端子３１は、充電器本体２のうち第２係合部３０が設けられた他方側部２２に配置されている。第２板状端子３１は、Ｙ方向に所定の間隔を隔てて一対設けられている。第２板状端子３１は、第１板状端子２９と実質的に同様の構成を有しているので、第２板状端子３１の詳細な説明は省略する。
【００３２】
逃がし溝部３２は、充電器本体２の他方側部２２に設けられている。逃がし溝部３２は、上下方向（Ｚ方向）に直線状に延びるように一対形成されている。逃がし溝部３２は、充電器本体２が他の充電器本体２ｂに対して相対的に上下方向にスライドする際（図２参照）に、他の充電器本体２ｂの第１板状端子２９が通過する位置に設けられている。具体的には、一対の逃がし溝部３２は、他の充電器本体２ｂの一対の第２板状端子３１のＹ方向における位置と略同じ位置に配置されている。また、一対の逃がし溝部３２は、一対の第２板状端子３１の上方で、かつ、第２板状端子３１に隣接するように配置されている。
【００３３】
ＬＥＤ３３（図１参照）は、充電器本体２の上面に配置されている。ＬＥＤ３３は、充電状態などの各種動作状態に応じて点灯状態を切り替えるように構成されている。
【００３４】
複数の充電器を連結させた連結状態について詳細に説明する。
【００３５】
図２に示すように、充電器１は、充電器１の第１係合部２７と他の充電器１ａの第２係合部３０（図５参照）とが係合することにより、充電器１のＸ１側に他の充電器１ａが連結するように構成されている。また、充電器１は、充電器１の第２係合部３０と他の充電器１ｂの第１係合部２７とが係合することにより、充電器１のＸ２側に他の充電器１ｂが連結するように構成されている。
【００３６】
詳細には、充電器本体２の第１係合部２７と他の充電器本体２ａの第２係合部３０とを互いに係合させた状態で充電器本体２を他の充電器本体２ａに対して相対的に上下方向にスライドさせることにより、充電器１は、他の充電器１ａに対して横方向（Ｘ１方向）に隣接した状態で連結されるように構成されている。
【００３７】
同様に、充電器本体２の第２係合部３０と他の充電器本体２ｂの第１係合部２７とを互いに係合させた状態で充電器本体２を他の充電器本体２ｂに対して相対的に上下方向にスライドさせることにより、充電器１は、他の充電器１ｂに対して横方向（Ｘ２方向）に隣接した状態で連結されるように構成されている。
【００３８】
また、図５に示すように、連結状態において、充電器本体２の第１板状端子２９を弾性変形させた状態で他の充電器本体２ａの第２板状端子３１に対して横方向（Ｙ方向）に当接させることにより、充電器１は、他の充電器１ａに対して横方向（Ｘ方向）に隣接した状態で連結されるように構成されている。同様に、充電器本体２の第２板状端子３１を弾性変形させた状態で他の充電器本体２ｂの第１板状端子２９に対して横方向（Ｙ方向）に当接させることにより、充電器１は、他の充電器１ｂに対して横方向（Ｘ方向）に隣接した状態で連結されるように構成されている。すなわち、連結状態においては、第１板状端子２９および第２板状端子３１は、Ｙ方向に沿って線接触するように当接（接触）される。
【００３９】
また、図６に示すように、他の充電器１ａおよび１ｂと同様に、他の充電器１ｃおよび１ｄは、それぞれ、他の充電器１ａの一方側部２１側（Ｘ１側）および他の充電器１ｂの他方側部２２側（Ｘ２側）に配置されている。図６では、充電器１には４つの他の充電器（１ａ〜１ｄ）を直接的または間接的に連結することが可能であり、合計５つの充電器が連結されている例を示している。この際、充電器１または他の充電器１ａ〜１ｄのうち一つの充電器に複数台連結時用のＡＣアダプタ１１０が取り付けられ、５台の充電器に電力が供給される。
【００４０】
次に、カバー４および５の詳細について説明する。
【００４１】
図７に示すように、カバー４は、Ｘ１側から見て、略矩形形状を有している。カバー４は、第３係合部４１と、位置決め部４２と、リブ４３とを含んでいる。第３係合部４１と、位置決め部４２と、リブ４３とは、カバー４が充電器本体２に取り付けられた状態（以下、カバー取付状態という；図４参照）でカバー４のＸ２側の面に配置されている。
【００４２】
第３係合部４１は、上下方向（Ｚ方向）に延びるように形成されている。第３係合部４１は、図４に示すように、充電器本体２の第１係合部２７と係合可能に構成されている。第３係合部４１は、充電器本体２の第２係合部３０と同様の形状を有している。具体的には、第３係合部４１は、Ｙ方向に所定間隔を隔てて一対設けられている。第３係合部４１は、端部４１ａと外側面４１ｂとを含んでいる。第３係合部４１は、カバー取付状態で、充電器本体２の一方側部２１に近いほどＹ方向の幅が広くなるような水平断面形状を有している。第３係合部４１のＹ方向の外側面４１ｂは、Ｘ方向に対して傾斜するように構成されている。第３係合部４１を含む部分は、水平断面において、充電器本体２の一方側部２１側（Ｘ２側）に下底（上底に対して長い辺）を有する略等脚台形状の凸形状に形成されている。第３係合部４１は、充電器本体２の第１係合部２７が係合するように構成されている。カバー４は、第３係合部４１と充電器本体２の第１係合部２７とをＸ方向およびＹ方向において互いに係合させた状態で、充電器本体２に対して相対的に上下方向（Ｚ方向）にスライド可能に構成されている。
【００４３】
図７に示すように、位置決め部４２は、第３係合部４１が延びる方向と直交するＹ方向に延びている。位置決め部４２は、一対の第３係合部４１の間に配置され、一対の第３係合部４１の上端部を接続している。位置決め部４２は、カバー取付状態において、充電器本体２の一方側部２１の位置決め部２８（図１参照）と当接するように構成されている。これにより、カバー４の充電器本体２に対する相対位置が決められる。
【００４４】
リブ４３は、カバー取付状態において、充電器本体２の一方側部２１の第１板状端子２９（図４参照）に接触して、第１板状端子２９を押圧するように構成されている。これにより、カバー４と充電器本体２との間で付勢力が作用し、カバー４が充電器本体２に対して上下方向（Ｚ方向）に位置ずれするのを抑制している。
【００４５】
図８に示すように、カバー５は、Ｘ１側から見て、略矩形形状を有している。カバー５は、第４係合部５１と、当接部５２と、リブ５３とを含んでいる。第４係合部５１と、当接部５２と、リブ５３とは、カバー取付状態（図４参照）でカバー５のＸ１側の面に配置されている。
【００４６】
第４係合部５１は、上下方向（Ｚ方向）に延びるように形成されている。第４係合部５１は、図４に示すように、充電器本体２の第２係合部３０と係合可能に構成されている。第４係合部５１は、充電器本体２の第１係合部２７と同様の形状を有している。具体的には、第４係合部５１は、Ｙ方向に所定間隔を隔てて一対設けられている。一対の第４係合部５１は、互いに平行に形成されている。第４係合部５１は、カバー取付状態で、充電器本体２の他方側部２２に近いほどＹ方向の幅が狭くなるような水平断面形状を有している。第４係合部５１の内側面５１ａは、Ｘ方向に対して傾斜するように構成されている。一対の第４係合部５１により挟まれた空間は、水平断面において、充電器本体２の他方側部２２側（Ｘ１側）に上底（下底に対して短い辺）を有する略等脚台形状の凹形状に形成されている。第４係合部５１は、充電器本体２の第２係合部３０と係合するように構成されている。カバー５は、第４係合部５１と充電器本体２の第２係合部３０とをＸ方向およびＹ方向において互いに係合させた状態で、充電器本体２に対して相対的に上下方向（Ｚ方向）にスライド可能に構成されている。
【００４７】
図８に示すように、当接部５２は、第４係合部５１と直交する方向（Ｙ方向）に延びている。当接部５２は、一対の第４係合部５１の間に配置され、一対の第４係合部５１の上端部同士を接続している。当接部５２は、カバー取付状態において、充電器本体２の他方側部２２の第２係合部３０の上端部（Ｚ１側端部）と当接するように構成されている。これにより、カバー５の充電器本体２に対する相対位置が決められる。
【００４８】
リブ５３は、カバー取付状態において、充電器本体２の他方側部２２の第２板状端子３１（図４参照）と接触して、第２板状端子３１を押圧するように構成されている。これにより、カバー５と充電器本体２との間で付勢力が作用し、カバー５が充電器本体２に対して位置ずれするのを抑制している。
【００４９】
充電器１が非連結状態（図１参照）である場合に、カバー４および５により第１板状端子２９および第２板状端子３１のそれぞれを保護することが可能である。
【００５０】
また、図９に示すように、カバー５の第４係合部５１と、カバー４の第３係合部４１とは、互いに係合可能に構成されている。これにより、カバー４および５を一体化することが可能であるので、カバー４および５を纏めて保管することができる。
【００５１】
本実施形態では、以下のような効果を得ることができる。
【００５２】
本実施形態では、充電器本体２の一方側部２１（他方側部２２）に設けられ、充電器本体２を他の充電器本体２ａ（２ｂ）と連結するための第１係合部２７（第２係合部３０）と、充電器本体２のうち第１係合部２７（第２係合部３０）が設けられた一方側部２１（他方側部２２）に配置された弾性変形可能な第１板状端子２９（第２板状端子３１）とを設ける。また、充電器本体２の第１係合部２７（第２係合部３０）と他の充電器本体２ａの第２係合部３０（他の充電器本体２ｂの第１係合部２７）とを互いに係合させた状態で充電器本体２を他の充電器本体２ａ（２ｂ）に対して相対的に上下方向にスライドさせることにより、充電器本体２の第１板状端子２９（第２板状端子３１）を弾性変形させた状態で他の充電器本体２ａの第２板状端子３１（他の充電器本体２ｂの第１板状端子２９）に対して横方向に当接させるとともに、他の充電器１ａ（１ｂ）に対して横方向に隣接した状態で連結されるように充電器１を構成する。これにより、専用の連結部材を介さなくても、充電器１と他の充電器１ａ（１ｂ）とを直接連結して、充電器１と他の充電器１ａ（１ｂ）とを電気的に接続することができる。その結果、充電器１の連結作業を簡素化することができる。また、充電器１と他の充電器１ａ（１ｂ）とを連結するのに連結部材を設ける必要がない。これにより、充電器本体２ａおよび２ｂと、充電器本体２との連結時の構造を簡素化することができる。
【００５３】
また、一対の第１係合部２７により挟まれた空間を略等脚台形状の凹形状に形成するとともに、第２係合部３０を含む部分を一対の第１係合部２７により挟まれた空間に対応するように略等脚台形状の凸形状に形成する。また、複数の充電器が連結されたときには、弾性変形可能な第１板状端子２９および第２板状端子３１が互いに上下方向（Ｚ方向）に押し込まれた状態で接触しているため、第１板状端子２９および第２板状端子３１が互いに水平方向（Ｘ方向）に付勢し合っている。これにより、第１係合部２７と第２係合部３０とが係合した際には、第１係合部２７および第２係合部３０によりＸ方向への移動が規制された状態で、第１板状端子２９および第２板状端子３１により、係合を強固にする方向（Ｘ方向）に第１係合部２７および第２係合部３０を押し付けることができる。その結果、アタッチメントなどを用いなくても、複数の充電器を強固に連結することができる。また、これと同様に、カバー４の第３係合部４１が充電器本体２の第１係合部２７と係合する場合、および、カバー５の第４係合部５１が充電器本体２の第２係合部３０と係合する場合にも、カバー４のリブ４３および第１板状端子２９が互いに水平方向（Ｘ方向）に付勢し合い、カバー５のリブ５３および第２板状端子３１が互いに水平方向に付勢し合っている。これにより、カバー４および５を充電器本体２に確実に固定することができる。
【００５４】
また、本実施形態では、他の充電器本体２ａと連結される際における充電器本体２のスライド方向への移動を規制することにより、充電器本体２の第１板状端子２９と他の充電器本体２ａの第２板状端子３１との位置決めを行うための位置決め部２８を充電器本体２に設ける。これにより、充電器本体２および２ａを連結した際に、充電器本体２の第１板状端子２９と他の充電器本体２ａの第２板状端子３１との位置を精度よく合わせることができる。その結果、連結状態において、第１板状端子２９と第２板状端子３１とが接触不良になるのを抑制することができる。
【００５５】
また、本実施形態では、他の充電器本体２ｂに対して相対的に上下方向にスライドする際に他の充電器本体２ｂの第１板状端子２９が通過する位置に逃がし溝部３２を充電器本体２の他方側部２２に設ける。これにより、充電器１と他の充電器１ｂとを連結する際に、他の充電器本体２ｂの第１板状端子２９が充電器本体２の他方側部２２に干渉する（擦れる）のを抑制することができる。その結果、充電器１の第２板状端子３１と他の充電器１ｂの第１板状端子２９とを円滑に連結することができる。
【００５６】
また、本実施形態では、一方側部２１に上下方向に延びるように形成された第１係合部２７と、他方側部２２に上下方向に延びるように形成されるとともに、他の充電器本体２ｂの第１係合部２７と係合可能に構成された第２係合部３０とを設ける。また、一方側部２１に上下方向に延びるように設けられた第１板状端子２９と、他方側部２２に上下方向に延びるように設けられた第２板状端子３１とを設ける。また、第１板状端子２９（第２板状端子３１）を弾性変形させた状態で他の充電器本体２ａの第２板状端子３１（他の充電器本体２ｂの第１板状端子２９）に対して横方向に当接させるとともに、他の充電器１ａ（１ｂ）に対して横方向に隣接した状態で連結されるように充電器１を構成する。これにより、上下方向に延びる第１板状端子２９および第２板状端子３１により、充電器本体２の第１板状端子２９（第２板状端子３１）と、他の充電器本体２ａの第２板状端子３１（他の充電器本体２ｂの第１板状端子２９）との上下方向における位置ずれを吸収することができる。その結果、連結状態において、充電器１の第１板状端子２９（第２板状端子３１）と他の充電器１ａの第２板状端子３１（他の充電器１ｂの第１板状端子２９）とが接触不良になるのを効果的に抑制することができる。また、第１板状端子２９を弾性変形した状態で第２板状端子３１に当接させることにより、連結状態において、第１板状端子２９と第２板状端子３１との電気的接続を確実に行うことができる。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５８】
たとえば、上記実施形態の図６に示す例では、合計５つの充電器（１、１ａ〜１ｄ）が連結されている例を示したが、本発明はこれに限られない。本発明では、合計２〜４つ、または、６つ以上の充電器が連結されていてもよい。
【００５９】
また、上記実施形態では、複数の他の充電器（１ａ〜１ｄ）がＸ方向に配列するように連結される例を示したが、本発明はこれに限られない。本発明では、複数の他の充電器がＹ方向に配列するように連結されてもよい。また、複数の他の充電器がＸ方向およびＹ方向に配列するように連結されてもよい。
【００６０】
また、上記実施形態では、検知器５００の長手方向（Ｙ方向）と充電器本体２の長手方向とが揃うように充電器１にセットされる例を示したが、本発明はこれに限られない。本発明では、検知器の長手方向が充電器本体の短手方向（Ｘ方向）に沿って充電器にセットされてもよい。
【００６１】
また、上記実施形態では、充電器本体２は、検知器５００の底面が下方を向くように検知器５００をセットするように構成されている例を示したが、本発明はこれに限られない。本発明では、充電器本体は、検知器の底面が側方を向くように検知器をセットするように構成されていてもよい。
【００６２】
また、上記実施形態では、位置決め部２８を充電器本体２の一方側部２１に設けた例を示したが、本発明はこれに限られない。本発明では、位置決め部２８を充電器本体２の一方側部２１に設けなくてもよい。
【００６３】
また、上記実施形態では、逃がし溝部３２を充電器本体２の他方側部２２に設けた例を示したが、本発明はこれに限られない。本発明では、逃がし溝部３２を充電器本体２の他方側部２２に設けなくてもよい。
【００６４】
また、上記実施形態では、第１板状端子２９および第２板状端子３１が線接触する例を示したが、本発明はこれに限られない。本発明では、第１板状端子および第２板状端子が面接触してもよい。
【００６５】
また、上記実施形態では、外部電源接続端子２３１がＹ２側の短手側側部２３に設けられている例を示したが、本発明はこれに限られない。本発明では、外部電源接続端子が他の側面（一方側部２１、他方側部２２、Ｙ１側の短手側側部３４）に設けられていてもよい。
【００６６】
また、上記実施形態では、上記に説明した形状にカバー４および５を構成したが、本発明はこれに限られない。本発明では、カバーは、上記に説明した形状以外の形状であってもよい。例えば、図１０に示すカバー１４０および図１１に示すカバー１５０を、それぞれ、充電器本体２（図１参照）のＸ１側端部およびＸ２側端部に着脱可能に取り付けてもよい。図１０に示すように、カバー１４０は、カバー取付状態において、Ｘ２側の面に充電器本体２の第１係合部２７（図１参照）と係合可能な第３係合部１４１を含んでいる。また、カバー１４０は、Ｘ方向から見て、上端部および下端部に凹部１４２を含んでいる。凹部１４２は、略半円状に形成されている。また、カバー１４０は、図１０に示した状態における上側または下側のいずれからも、充電器本体２のＸ１側端部に着脱可能である。また、図１１に示すように、カバー１５０は、カバー取付状態において、Ｘ１側の面に充電器本体２の第２係合部３０（図３参照）と係合可能な第４係合部１５１を含んでいる。また、カバー１５０の上端部には、カバー取付状態において、第２板状端子３１（図３参照）にゴミや埃などが付着しないようにするためのダストクッション１５２を含んでいる。なお、カバー１４０および１５０は、図９に示すカバー４および５と同様に、互いに係合可能であり、一体化することが可能である。
【符号の説明】
【００６７】
１  可搬型ガス検知器の充電器
１ａ〜１ｄ  他の充電器
２  充電器本体
２ａ〜２ｄ  他の充電器本体
２１  一方側部（側部）
２２  他方側部（側部）
２７  第１係合部（係合部）
２８  位置決め部
２９  第１板状端子（接続端子）
３０  第２係合部（係合部）
３１  第２板状端子（接続端子）
３２  逃がし溝部
５００  可搬型ガス検知器
【図１】
0006453655.tif 000002
【図２】
0006453655.tif 000003
【図３】
0006453655.tif 000004
【図４】
0006453655.tif 000005
【図５】
0006453655.tif 000006
【図６】
0006453655.tif 000007
【図７】
0006453655.tif 000008
【図８】
0006453655.tif 000009
【図９】
0006453655.tif 000010
【図１０】
0006453655.tif 000011
【図１１】
0006453655.tif 000012